(57)【要約】      （修正有）【課題】ホームページを検索する際、検索結果の位置と検索結果の重みである検索確率を地図イメージ表示すると共に、検索者からの距離範囲条件で検索可能とする。【解決手段】登録者端末３から、ウェブサイトの情報と地図情報システムから得られるウェブサイトの地図座標軸を取得し、情報登録部１３からカテゴリ・座標・データベース部１５に登録し、情報登録部１３からウェブサイトのアドレスをウェブ収集処理部１６に送信し、検索エンジンによってウェブサイト５のデータを収集し、語句解析部１７と重み処理部１８に送信し、語句解析と重み処理を行ない、ウェブデータベース１９に登録し、検索者端末２からのウェブデータベース１９とアドレス・座標・カテゴリデータベース１５への検索結果をアドレス・座標軸動機処理部２１から距離計算処理部２２と位置イメージ処理部１０へ送信し、ウェブ表示処理部６を介してウェブサイトのデータと発信位置を検索する。【選択図】図１
2006221443.tif 000002
【特許請求の範囲】
【請求項１】
通信ネットワーク上に存在する複数のウェブサイトと複数の端末とが通信ネットワークを介してサーチエンジンサーバーに接続されて成る地図情報システム連動サーチエンジンサーバーシステムであって、
前記複数のウェブサイトは、通信ネットワーク上に無数に発信されているウェブサイトであって、
前記複数の端末は、通信ネットワークを介して前記サーチエンジンサーバーに情報登録を
行なう登録者端末と該サーチエンジンサーバーに登録された情報を検索する検索者端末から成り、
前記サーチエンジンサーバーは、
通信ネットワーク上の前記登録者端末からのウェブ情報入力と前記検索者端末へのウェブ情報出力を処理するウェブ表示処理部と、
地図検索入力部と地図検索処理部と地図データベースと位置イメージ処理部で構成され、地図検索処理と前記ウェブサイトの発信位置の指定と該発信位置のイメージ表示を可能とする地図情報システム部と、
前記ウェブサイト発信位置の地図座標軸の取得と該ウェブサイトのアドレスとカテゴリを登録処理する情報登録部と、
前記ウェブサイトのカテゴリの分類システムを有し、カテゴリ分類表示とカテゴリ選択信号入力と該カテゴリ選択信号のデータ変換を処理するカテゴリ処理部と、
前記ウェブサイトのアドレスと前記ウェブサイト発信位置の地図座標軸と前記カテゴリ選択信号のデータベースであるアドレス・座標・カテゴリデータベースと、
前記情報登録部から登録された前記ウェブサイトのアドレスに対応した通信ネットワーク上に存在するウェブサイトに対してサーチエンジンロボットが起動し、
ウェブデータ収集処理を行なうウェブデータ収集処理部と、
該ウェブデータ収集処理部に収集されたウェブデータの語句解析を行なう語句解析部と、
語句解析された該ウェブデータの重み処理を行なう重み処理部と、
該ウェブデータに語句解析と重み処理を行なったウェブデータが蓄積されるウェブデータベースと、
前記検索者端末から前記ウェブデータベースと前記アドレス・座標・カテゴリデータベースへの検索信号の処理をする検索処理部と、
前記ウェブデータベース部から検索されたページ内の重みを集計処理する検索結果重み計算処理部と、
前記検索結果重み計算処理部で処理されたデータが前記アドレス・座標・カテゴリデータベースに同期し、
前記複数の検索結果である複数のウェブサイトアドレスと該ウェブサイトの発信位置である地図上の複数の位置座標軸を同期処理するアドレス・座標軸同期処理部と
前記ウェブサイトの発信位置である地図上の複数の位置座標軸間の距離計算処理を行なう
距離計算処理部を有することを特徴とする地図情報システム連動サーチエンジンサーバーシステム。
【請求項２】
前記地図情報システム部の検索入力部は、
前記登録者端末から前記サーチエンジンサーバーに登録をするウェブサイトの発信場所を
地図上で特定するための情報を前記ウェブ表示処理部を経由して入力処理し、
入力信号を前記地図検索処理部に送信し、
該地図検索処理部は、前記ウェブサイトの発信場所を前記地図データベースから検索処理し、
該ウェブ表示処理部を経由して該登録者端末に該ウェブサイトの発信場所を地図表示し、
該登録者端末から、該地図表示された地図上で該ウェブサイトの発信位置を地図地点指定することによって該ウェブサイトの発信位置の地図座標軸データを取得し、
該ウェブ表示処理部を経由して前記情報登録部に該地図座標軸データを送信し、
該ウェブ表示処理部は、前記登録者端末からの前記ウェブサイトの発信位置の地図地点指定信号を受信すると同時にウェブサイトのアドレス入力とカテゴリ入力の登録フォーマット画面を起動させ、
前記情報登録部は、該登録者端末から該登録フォーマット画面に入力された登録するウェブサイトアドレスデータとカテゴリデータと前記地図座標軸データを前記アドレス・座標・カテゴリデータベースに登録処理し、
該アドレス・座標・カテゴリデータベースへの登録処理と同時に該ウェブサイトアドレスを前記ウェブデータ収集処理部に送信し、
該ウェブデータ収集処理部は、該ウェブサイトアドレスに対してサーチエンジンロボットを起動し、通信ネットワーク上に存在する該ウェブサイトの情報収集を行なうことを可能とすることを特徴とする請求項１記載の地図情報システム連動サーチエンジンサーバーシステム。
【請求項３】
前記アドレス・座標・カテゴリデータベースへの前記検索者端末からのカテゴリウェブサイト検索は、カテゴリ検索画面を前記ウェブ表示処理部から通信ネットワークを介して該検索者端末に表示し、
該検索者端末から該カテゴリ検索画面へのカテゴリ検索入力信号を、
該ウェブ表示処理部から前記検索処理部と前記カテゴリ処理部を順次経由して前記アドレス・座標・カテゴリデータベースへ送信し、
該アドレス・座標・カテゴリデータベースからのウェブサイト検索結果一覧データを前記アドレス・座標軸同期処理部と前記距離計算処理部を経由し、
前記検索処理部から前記ウェブ表示処理部へ送信し、
同時に、該アドレス・座標・カテゴリデータベースからのウェブサイトの検索結果の座標軸データとウェブサイトアドレスデータを前記アドレス・座標軸同期処理部と距離計算部を順次経由して、
前記地図情報システム部の前記位置イメージ処理部に送信し、
該位置イメージ処理部で、前記ウェブサイトの発信位置を地図地点イメージ表示処理し、
該イメージ表示処理したデータを前記地図検索処理部に送信し、該地図検索処理部で地図検索処理し、地図検索処理されたデータを前記ウェブ表示処理部に送信し、
該ウェブ表示処理部で該地図検索処理されたデータと前記ウェブサイト検索結果一覧データを同期ウェブ表示処理し、
前記検索者端末に該ウェブサイト検索結果一覧データと該ウェブサイトの発信位置を表示した地図画面を同時に表示することを可能とすることを特徴とする請求項１〜２のいずれかに記載の地図情報システム連動サーチエンジンサーバーシステム。
【請求項４】
前記ウェブデータベースへの前記検索者端末からのウェブデータウェブサイト検索は、
キーワード検索入力画面を前記ウェブ表示処理部から通信ネットワークを介して該検索者端末に表示し、
該キーワード検索入力画面へのキーワード検索入力信号を、該検索者端末から該ウェブ表示処理部と前記検索処理部を経由して前記ウェブデータベースへ送信し、
前記ウェブデータベースからのウェブデータの検索結果を前記検索結果重み計算処理部に送信し、
該検索結果重み計算処理部で該ウェブデータの検索結果のページ内の重みを集計処理し、
該重み計算処理されたウェブデータのウェブサイト検索結果一覧データを前記検索処理部を経由して前記ウェブ表示処理部に送信し、
同時に該重み計算処理された該ウェブデータをアドレス・座標軸同期処理部に送信し、
前記検索結果重み計算処理部で処理されたウェブデータが前記アドレス・座標・カテゴリデータベースに同期し、
該ウェブデータのウェブサイトアドレスに対応する地図座標軸に同期したアドレス・座標軸同期信号を出力し、
該アドレス・座標軸同期信号を前記位置イメージ処理部に送信し、
該位置イメージ処理部は、該アドレス・座標軸同期信号に基づいて、前記ウェブサイトの発信位置の地図地点イメージ表示処理と前記重み計算処理されたウェブデータの重み評価に応じた重みイメージ表示処理を同時にイメージ表示処理し、
該イメージ表示処理された信号を前記地図検索処理部に送信し、
該地図検索処理部で地図検索処理し、該地図検索処理データを前記ウェブ表示処理部に送信し、
該ウェブ表示処理部で該地図検索処理データと前記ウェブサイトの検索結果一覧データを同期ウェブ表示処理し、
前記検索者端末に該ウェブサイトの検索結果一覧データと該ウェブサイトの発信位置と重みイメージを表示した地図画面を同時に表示することを可能とすることを特徴とする請求項１〜３のいずれかに記載の地図情報システム連動サーチエンジンサーバーシステム。
【請求項５】
前記位置イメージ処理部は、
前記アドレス・座標・カテゴリデータベースのウェブサイト検索結果データを前記アドレス・座標軸同期処理部へ送信し、ウェブサイトのアドレスとサイト位置座標軸とを同期処理し、前記アドレス・座標軸同期処理部から前記距離計算処理部を経由して受信し、
該ウェブサイト検索結果データの発信位置の地図座標軸に対応した地図地点イメージを地図上にイメージ表示処理することを可能とすることを特徴とする請求項１〜４のいずれかに記載の地図情報システム連動サーチエンジンサーバーシステム。
【請求項６】
前記位置イメージ処理部は、
前記ウェブデータベースのウェブページ検索結果データを前記検索結果重み計算処理部で重み計算処理し、前記アドレス・座標軸同期処理部で前記アドレス・座標・カテゴリデータベースのサイト位置座標軸と同期処理し、
前記アドレス・座標軸同期処理部から前記距離計算処理部を経由して受信し、
該ウェブページ検索結果データの発信位置の地図座標軸に対応した地図地点イメージを地図上にイメージ表示処理することを可能とすることを特徴とする請求項１〜４のいずれかに記載の地図情報システム連動サーチエンジンサーバーシステム。
【請求項７】
前記位置イメージ処理部は、
前記ウェブデータベースの検索結果に対して重み計算処理した前記検索結果重み計算処理部からの重み計算処理データと前記アドレス・座標・カテゴリデータベースとの同期信号を、
前記アドレス・座標軸同期処理部から前記距離計算処理部を経由して受信し、
該ウェブデータの発信位置の地図座標軸に対応した地図地点イメージ表示と前記重み計算処理データに対する重みの評価イメージを地点同期処理し、
該重みの評価イメージを評価段階に合わせた表示イメージの大きさによる表示や表示イメージに対する数値度数表示や表示イメージの色相変化表示や表示イメージの変形表示の表現方法により地図上にイメージ表示処理することを可能とすることを特徴とする請求項１〜４のいずれかに記載の地図情報システム連動サーチエンジンサーバーシステム。
【請求項８】
前記距離計算処理部は、
前記検索者端末から前記地図情報システム部へ検索者の基準とする場所を地図検索入力し、
地図検索結果を前記ウェブ表示処理部を経由して該検索者端末に地図画面をウェブ
表示し、
該地図画面上に検索者の検索基準点位置を登録入力し、
該ウェブ表示処理部から前記検索処理部を経由して受信される該検索基準点位置の地図座標軸データと、
前記地図画面が表示されるウェブ画面上から該検索基準点位置を基準としたウェブサイトの検索範囲の距離条件である検索範囲距離データを入力し、
該ウェブ表示処理部から前記検索処理部を経由して受信される該検索範囲距離データを登録処理し、
前記検索基準点位置の地図座標軸データと該検索範囲距離データと前記アドレス・座標軸
同期処理部から受信されるウェブサイトの座標軸データ間の距離計算処理することを可能とすることを特徴とする請求項１〜７のいずれかに記載の地図情報システム連動サーチエンジンサーバーシステム。
【請求項９】
前記距離計算処理部は、
前記アドレス・座標軸同期処理部で同期処理されたウェブサイト検索データを受信し、
該ウェブサイト検索データの地図座標軸と前記検索基準点位置の地図座標軸データとの距離計算処理を行い、
該距離計算処理データを検索処理部からウェブ表示処理部を経由して前記検索者端末に送信し、
前記検索者端末に近距離順のウェブサイト検索結果一覧表示するウェブ表示処理を可能とすることを特徴とする請求項１〜８のいずれかに記載の地図情報システム連動サーチエンジンサーバーシステム。
【請求項１０】
前記距離計算処理部は、
前記アドレス・座標軸同期処理部で同期処理されたウェブサイト検索データを受信し、
該ウェブサイト検索データの地図座標軸と前記検索基準点位置の地図座標軸データとの距離計算処理を行い、
該距離計算処理データを検索処理部からウェブ表示処理部を経由して前記検索者端末に送信し、該ウェブサイト検索結果一覧表示の表示項目に前記検索基準点位置から前記検索結果のウェブサイトの位置までの距離を数値表示するウェブ表示処理を可能とすることを特徴とする請求項１〜９のいずれかに記載の地図情報システム連動サーチエンジンサーバーシステム。
【請求項１１】
前記距離計算処理部は、
前記アドレス・座標軸同期処理部で同期処理されたウェブサイト検索データを受信し、
該ウェブサイト検索データの地図座標軸と前記検索基準点位置の地図座標軸データと
前記検索範囲距離データの距離計算処理を行い、
該距離計算処理データを検索処理部からウェブ表示処理部を経由して前記検索者端末に送信し、
前記検索者端末に検索範囲の距離条件に合致した近距離順のウェブサイト検索結果一覧表示するウェブ表示処理を可能とすることを特徴とする請求項１〜１０のいずれかに記載の地図情報システム連動サーチエンジンサーバーシステム。
【請求項１２】
前記距離計算処理部は、
前記アドレス・座標軸同期処理部で同期処理されたウェブサイト検索データを受信し、
該ウェブサイト検索データの地図座標軸と前記検索基準点位置の地図座標軸データと
前記検索範囲距離データの距離計算処理を行い、
該距離計算処理データをウェブサイト検索結果一覧データとして処理し、
検索処理部からウェブ表示処理部に送信すると同時に、
前記アドレス・座標軸同期処理部で同期処理されたウェブサイト検索データを前記地図情報システムの位置イメージ処理部に送信し、
地図検索処理部で地図検索処理しウェブ表示処理部に送信し、
該地図検索処理データと前記ウェブサイトの検索結果一覧データを該ウェブ表示処理部で同期ウェブ表示処理し、
前記検索者端末に該ウェブサイトの検索結果一覧データと該ウェブサイトの発信位置をイメージ表示した地図画面を同時に表示することを可能とすることを特徴とする請求項１〜１１のいずれかに記載の地図情報システム連動サーチエンジンサーバーシステム。
【発明の詳細な説明】
【技術分野】
【０００１】
本発明は、インターネット等の通信回線を利用し、ウェブ上に表示される地図検索システムの地図画面上から位置指定し、検索対象となるウェブサイトのアドレスやカテゴリを登録可能とし、その登録されたアドレスに対してサーチエンジンが収集したデータをデータベース化して、利用者がそのデータベースを検索する場合に、検索結果が重み順に検索されると同時にそのウェブサイト発信位置が地図上に表示され、その位置上にその重みの評価基準に合わせたイメージデータが表示されることを可能とするウェブサイトサーチエンジンサーバーシステムに関するものである。なお、本願の明細書及び図面中では、「ウェブ」を「Ｗｅｂ」（World Wide Webの略称）、「アドレス」を「URL」、「地図情報システム」をGIS(Geographical Information Systemsの略称)とも記載する。
【背景技術】
【０００２】
近年、インターネット等の通信回線が発達した社会において、インターネットを介したホームページやGIS等のウェブ情報発信が行なわれている。そのウェブ情報を閲覧するためには、直接そのウェブサイトのアドレスを入力する方法やハイパーテキストによるリンクの方法等があるが、一般的にインターネット上の情報を検索するためのサーチエンジンシステムが利用されている。インターネットでウェブサイトを検索する場合には、サーチエンジンシステムの運営サイトで予め用意されている検索ジャンルで検索する方法や検索窓に任意の検索キーワードを入力し該当するページの結果が表示される方法が利用されている。
【０００３】
さらに、サーチエンジンシステムには、予めホームページのアドレスをジャンルやキーワード等とともに登録し検索を可能とするディレクトリー型（登録型）とサイトのデータを人の手によってデータベースに登録するのではなく、「ロボット」と呼ばれるプログラムによって自動的にウェブからデータが収集されるデータベースから検索を可能とするロボット型（全文検索型）の検索エンジンシステムがあり、インターネット上の情報検索に利用されている。
ディレクトリー型（登録型）の検索エンジンの場合には、「サイト単位」でデータが登録されており、ロボット型（全文検索型）の検索エンジンの場合には「ページ単位」でのデータ登録である。
【発明の開示】
【発明が解決しようとする課題】
【０００４】
しかしながら、上記の従来の検索エンジンシステムでは、地域限定情報や特定ジャンル情報を正確・詳細に検索することができない。
従来のディレクトリー型（登録型）検索エンジンシステムは、発信元地域や情報ジャンル
を特定することには優れているが、サイト単位でデータが登録されており各ページ毎の全
文データを詳細に検索することができない。
一方、従来のロボット型（全文検索型）の検索エンジンの場合には、「ページ単位」でのデータ登録であり、ページ毎の全文データ検索が可能であり、検索キーワードに対する詳細な検索が可能であるが、そのサイトの発信元地域や情報ジャンルを特定し難いという欠点があった。例えば、つくばのレストランを検索したい場合に、つくばとレストランの２つのキーワードで検索した場合につくばとレストランの記載のある全国のページが検索され必ずしもつくばのレストラン情報ではない場合がある。
【０００５】
ところで、現在利用されているディレクトリー型（登録型）検索エンジンシステムや
ロボット型（全文検索型）検索エンジンの場合には、検索ジャンル入力又は検索キーワード入力に対して、データベースからそのサイト又はページの検索結果がテキスト一覧表示される。
しかしながら、このような検索結果のテキスト一覧表示では、ウェブサイトの発信場所を特定することはできない。
また、従来の検索エンジンシステムの検索結果の重み付け評価は、検索結果の確率が高い場合表示順位が早いというようにテキスト一覧表示における順位で表示されている。
しかしながら、これらの方法では、視覚的なイメージにより検索結果の重み付け評価を行なうことはできないため瞬時に検索結果の確率や重要度を把握することができない。
また、検索される情報は、検索結果の位置や検索者の位置から検索結果までの位置を距離把握することはできない。
【０００６】
即ち、従来の検索エンジンシステムでは、地域限定情報や特定ジャンル情報を正確・詳細に検索する場合には、ディレクトリー型（登録型）検索エンジンシステムやロボット型（全文検索型）の検索エンジンのそれぞれを利用したり、キーワードの絞込みやキーワード変更により何度も検索を行なう必要があった。場合によっては、絞込みキーワードが合致せず目的の情報を検索できない場合もあった。
また、ウェブサイトの発信場所を確認する場合にはそのサイト又はページを実際に閲覧して発信者の住所や交通案内の地図を確認しなければならないという問題があった。
【０００７】
そこで、本発明では、ディレクトリー型（登録型）検索エンジンシステムとロボット型（全文検索型）検索エンジンを統合し、GISと連動するサーチエンジンシステムとすることによって、上記従来の問題を解決することを目的とする。
【０００８】
さらに、検索結果のウェブサイトの発信位置をGISの地図画面上にイメージ表示することを可能とすること、検索結果の重みである検索確率又はサイト重要度を地図画面上にイメージ表示することを可能とすること、ウェブサイトの検索結果を検索者からの距離範囲条件で絞り込みすることを可能とすることを目的とする。
【課題を解決するための手段】
【０００９】
本発明は上記課題を解決するために、
通信ネットワーク上に存在する複数のウェブサイトと複数の端末とが通信ネットワークを介してサーチエンジンサーバーに接続されて成る地図情報システム連動サーチエンジンサーバーシステムであって、
前記複数のウェブサイトは、通信ネットワーク上に無数に発信されているウェブサイトであって、
前記複数の端末は、通信ネットワークを介して前記サーチエンジンサーバーに情報登録を
行なう登録者端末と該サーチエンジンサーバーに登録された情報を検索する検索者端末から成り、
前記サーチエンジンサーバーは、
通信ネットワーク上の前記登録者端末からのウェブ情報入力と前記検索者端末へのウェブ情報出力を処理するウェブ表示処理部と、
地図検索入力部と地図検索処理部と地図データベースと位置イメージ処理部で構成され、地図検索処理と前記ウェブサイトの発信位置の指定と該発信位置のイメージ表示を可能とする地図情報システム部と、
前記ウェブサイト発信位置の地図座標軸の取得と該ウェブサイトのアドレスとカテゴリを登録処理する情報登録部と
前記ウェブサイトのカテゴリの分類システムを有し、カテゴリ分類表示とカテゴリ選択信号入力と該カテゴリ選択信号のデータ変換を処理するカテゴリ処理部と、
前記ウェブサイトのアドレスと前記ウェブサイト発信位置の地図座標軸と前記カテゴリ選択信号のデータベースであるアドレス・座標・カテゴリデータベースと、
前記情報登録部から登録された前記ウェブサイトのアドレスに対応した通信ネットワーク上に存在するウェブサイトに対してサーチエンジンロボットが起動し、
ウェブデータ収集処理を行なうウェブデータ収集処理部と、
該ウェブデータ収集処理部に収集されたウェブデータの語句解析を行なう語句解析部と、
語句解析された該ウェブデータの重み処理を行なう重み処理部と、
該ウェブデータに語句解析と重み処理を行なったウェブデータが蓄積されるウェブデータベースと、
前記検索者端末から前記ウェブデータベースと前記アドレス・座標・カテゴリデータベースへの検索信号の処理をする検索処理部と、
前記ウェブデータベース部から検索されたページ内の重みを集計処理する検索結果重み計算処理部と、
前記検索結果重み計算処理部で処理されたデータが前記アドレス・座標・カテゴリデータベースに同期し、
前記複数の検索結果である複数のウェブサイトアドレスと該ウェブサイトの発信位置である地図上の複数の位置座標軸を同期処理するアドレス・座標軸同期処理部と
前記ウェブサイトの発信位置である地図上の複数の位置座標軸間の距離計算処理を行なう
距離計算処理部を有することを特徴とする地図情報システム連動サーチエンジンサーバーシステムを提供する。
【００１０】
前記地図情報システム部の検索入力部は、
前記登録者端末から前記サーチエンジンサーバーに登録をするウェブサイトの発信場所を
地図上で特定するための情報を前記ウェブ表示処理部を経由して入力処理し、
入力信号を前記地図検索処理部に送信し、
該地図検索処理部は、前記ウェブサイトの発信場所を前記地図データベースから検索処理し、
該ウェブ表示処理部を経由して該登録者端末に該ウェブサイトの発信場所を地図表示し、
該登録者端末から、該地図表示された地図上で該ウェブサイトの発信位置を地図地点指定することによって該ウェブサイトの発信位置の地図座標軸データを取得し、
該ウェブ表示処理部を経由して前記情報登録部に該地図座標軸データを送信し、
該ウェブ表示処理部は、前記登録者端末からの前記ウェブサイトの発信位置の地図地点指定信号を受信すると同時にウェブサイトのアドレス入力とカテゴリ入力の登録フォーマット画面を起動させ、
前記情報登録部は、該登録者端末から該登録フォーマット画面に入力された登録するウェブサイトアドレスデータとカテゴリデータと前記地図座標軸データを前記アドレス・座標・カテゴリデータベースに登録処理し、
該アドレス・座標・カテゴリデータベースへの登録処理と同時に該ウェブサイトアドレスを前記ウェブデータ収集処理部に送信し、
該ウェブデータ収集処理部は、該ウェブサイトアドレスに対してサーチエンジンロボットを起動し、通信ネットワーク上に存在する該ウェブサイトの情報収集を行なうことを可能とすることを特徴とする。
【００１１】
前記アドレス・座標・カテゴリデータベースへの前記検索者端末からのカテゴリウェブサイト検索は、カテゴリ検索画面を前記ウェブ表示処理部から通信ネットワークを介して該検索者端末に表示し、
該検索者端末から該カテゴリ検索画面へのカテゴリ検索入力信号を、
該ウェブ表示処理部から前記検索処理部と前記カテゴリ処理部を順次経由して前記アドレス・座標・カテゴリデータベースへ送信し、
該アドレス・座標・カテゴリデータベースからのウェブサイト検索結果一覧データを検索処理部から前記ウェブ表示処理部へ送信し、
同時に、該アドレス・座標・カテゴリデータベースからのウェブサイトの検索結果の座標軸データとウェブサイトアドレスデータを前記アドレス・座標軸同期処理部と前期距離計算処理部を経由して、
前記地図情報システム部の前記位置イメージ処理部に送信し、
該位置イメージ処理部で、前記ウェブサイトの発信位置を地図地点イメージ表示処理し、
該イメージ表示処理したデータを前記地図検索処理部に送信し、該地図検索処理部で地図検索処理し、地図検索処理されたデータを前記ウェブ表示処理部に送信し、
該ウェブ表示処理部で該地図検索処理されたデータと前記ウェブサイト検索結果一覧データを同期ウェブ表示処理し、
前記検索者端末に該ウェブサイト検索結果一覧データと該ウェブサイトの発信位置を表示した地図画面を同時に表示することを可能とすることを特徴とする。
【００１２】
前記ウェブデータベースへの前記検索者端末からのウェブデータウェブサイト検索は、
キーワード検索入力画面を前記ウェブ表示処理部から通信ネットワークを介して該検索者端末に表示し、
該キーワード検索入力画面へのキーワード検索入力信号を、該検索者端末から該ウェブ表示処理部と前記検索処理部を経由して前記ウェブデータベースへ送信し、
前記ウェブデータベースからのウェブデータの検索結果を前記検索結果重み計算処理部に送信し、
該検索結果重み計算処理部で該ウェブデータの検索結果のページ内の重みを集計処理し、
該重み計算処理されたウェブデータのウェブサイト検索結果一覧データを前記検索処理部を経由して前記ウェブ表示処理部に送信し、
同時に該重み計算処理された該ウェブデータをアドレス・座標軸同期処理部に送信し、
前記検索結果重み計算処理部で処理されたウェブデータが前記アドレス・座標・カテゴリデータベースに同期し、
該ウェブデータのウェブサイトアドレスに対応する地図座標軸に同期したアドレス・座標軸同期信号を出力し、
発信位置の地図地点イメージ表示処理と前記重み計算処理されたウェブデータの重み評価に応じた重みイメージ表示処理を同時にイメージ表示処理し、
該イメージ表示処理された信号を前記地図検索処理部に送信し、
該地図検索処理部で地図検索処理し、該地図検索処理データを前記ウェブ表示処理部に送信し、
該ウェブ表示処理部で該地図検索処理データと前記ウェブサイトの検索結果一覧データを同期ウェブ表示処理し、
前記検索者端末に該ウェブサイトの検索結果一覧データと該ウェブサイトの発信位置と重みイメージを表示した地図画面を同時に表示することを可能とすることを特徴とする。
【００１３】
前記位置イメージ処理部は、
前記アドレス・座標・カテゴリデータベースのウェブサイト検索結果データを前記アドレス・座標軸同期処理部へ送信し、ウェブサイトのアドレスとサイト位置座標軸とを同期処理し、前記アドレス・座標軸同期処理部から前記距離計算処理部を経由して受信し、
該ウェブサイト検索結果データの発信位置の地図座標軸に対応した地図地点イメージを地図上にイメージ表示処理することを可能とすることを特徴とする
【００１４】
前記位置イメージ処理部は、
前記ウェブデータベースのウェブページ検索結果データを前記検索結果重み計算処理部で重み計算処理し、前記アドレス・座標軸同期処理部で前記アドレス・座標・カテゴリデータベースのサイト位置座標軸と同期処理し、
前記アドレス・座標軸同期処理部から前記距離計算処理部を経由して受信し、
該ウェブページ検索結果データの発信位置の地図座標軸に対応した地図地点イメージを地図上にイメージ表示処理することを可能とすることを特徴とする。
【００１５】
前記位置イメージ処理部は、
前記ウェブデータベースの検索結果に対して重み計算処理した前記検索結果重み計算処理部からの重み計算処理データと前記アドレス・座標・カテゴリデータベースとの同期信号を
前記アドレス・座標軸同期処理部から前記距離計算処理部を経由して受信し、
該ウェブデータの発信位置の地図座標軸に対応した地図地点イメージ表示と前記重み計算処理データに対する重みの評価イメージを地点同期処理し、
該重みの評価イメージを評価段階に合わせた表示イメージの大きさによる表示や表示イメージに対する数値度数表示や表示イメージの色相変化表示や表示イメージの変形表示の表現方法により地図上にイメージ表示処理することを可能とすることを特徴とする請求項１〜４のいずれかに記載の地図情報システム連動サーチエンジンサーバーシステム。
【００１６】
前記距離計算処理部は、
前記検索者端末から前記地図情報システム部へ検索者の基準とする場所を地図検索入力し、
地図検索結果を前記ウェブ表示処理部を経由して該検索者端末に地図画面をウェブ
表示し、
該地図画面上に検索者の検索基準点位置を登録入力し、
該ウェブ表示処理部から前記検索処理部を経由して受信される該検索基準点位置の地図座標軸データと、
前記地図画面が表示されるウェブ画面上から該検索基準点位置を基準としたウェブサイトの検索範囲の距離条件である検索範囲距離データを入力し、
該ウェブ表示処理部から前記検索処理部を経由して受信される該検索範囲距離データを登録処理し、
前記検索基準点位置の地図座標軸データと該検索範囲距離データと前記アドレス・座標軸
同期処理部から受信されるウェブサイトの座標軸データ間の距離計算処理することを可能とすることを特徴とする。
【００１７】
前記距離計算処理部は、
前記アドレス・座標軸同期処理部で同期処理されたウェブサイト検索データを受信し、
該ウェブサイト検索データの地図座標軸と前記検索基準点位置の地図座標軸データとの距離計算処理を行い、
該距離計算処理データを検索処理部からウェブ表示処理部を経由して前記検索者端末に送信し、
前記検索者端末に近距離順のウェブサイト検索結果一覧表示するウェブ表示処理を可能とすることを特徴とする請求項１〜８のいずれかに記載の地図情報システム連動サーチエンジンサーバーシステム。
【００１８】
前記距離計算処理部は、
前記アドレス・座標軸同期処理部で同期処理されたウェブサイト検索データを受信し、
該ウェブサイト検索データの地図座標軸と前記検索基準点位置の地図座標軸データとの距離計算処理を行い、
該距離計算処理データを検索処理部からウェブ表示処理部を経由して前記検索者端末に送信し、該ウェブサイト検索結果一覧表示の表示項目に前記検索基準点位置から前記検索結果のウェブサイトの位置までの距離を数値表示するウェブ表示処理を可能とすることを特徴とする請求項１〜９のいずれかに記載の地図情報システム連動サーチエンジンサーバーシステム。
【００１９】
前記距離計算処理部は、
前記アドレス・座標軸同期処理部で同期処理されたウェブサイト検索データを受信し、
該ウェブサイト検索データの地図座標軸と前記検索基準点位置の地図座標軸データと
前記検索範囲距離データの距離計算処理を行い、
該距離計算処理データを検索処理部からウェブ表示処理部を経由して前記検索者端末に送信し、
前記検索者端末に検索範囲の距離条件に合致した近距離順のウェブサイト検索結果一覧表示するウェブ表示処理を可能とすることを特徴とする請求項１〜１０のいずれかに記載の地図情報システム連動サーチエンジンサーバーシステム。
【００２０】
前記距離計算処理部は、
前記アドレス・座標軸同期処理部で同期処理されたウェブサイト検索データを受信し、
該ウェブサイト検索データの地図座標軸と前記検索基準点位置の地図座標軸データと
前記検索範囲距離データの距離計算処理を行い、
該距離計算処理データをウェブサイト検索結果一覧データとして処理し、
検索処理部からウェブ表示処理部に送信すると同時に、
前記アドレス・座標軸同期処理部で同期処理されたウェブサイト検索データを前記地図情報システムの位置イメージ処理部に送信し、
地図検索処理部で地図検索処理しウェブ表示処理部に送信し、
該地図検索処理データと前記ウェブサイトの検索結果一覧データを該ウェブ表示処理部で同期ウェブ表示処理し、
前記検索者端末に該ウェブサイトの検索結果一覧データと該ウェブサイトの発信位置をイメージ表示した地図画面を同時に表示することを可能とすることを特徴とする。
【発明の効果】
【００２１】
上記構成の本発明に係る地図情報システム連動サーチエンジンサーバーシステムは、次のような効果を奏する。
（１） ディレクトリー型（登録型）検索エンジンシステムとロボット型（全文検索型）の検索エンジンを組み合わせたサーチエンジンシステムとすることにより、予め限定されたウェブサイトにロボットエンジンを稼動し、限定された情報エリア内の詳細情報のデータベースを構築することが可能となり、サーチエンジン利用者が効率的に目的の情報検索を行なうことが可能となる。
【００２２】
（２） サーチエンジンシステムと地図情報システムとを連動させるシステムとすることによって、サーチエンジンで検索されたウェブサイトの発信位置の座標軸が地図画面上に表示され、発信位置地図表示画面と検索結果一覧が同一ウェブ画面上に表示されることによって、発信場所を視覚的に把握することが可能となりサーチエンジン利用者にとってより詳細な情報検索が可能となる。
【００２３】
（３） 地図情報システムと連動したサーチエンジンシステムに、予め検索者の検索基準点
位置を登録することを可能とするシステムにすることによって、検索結果一覧に検索基準点位置からの距離表示が可能となること、及び検索基準点位置からの検索範囲距離条件を入力可能とすることによって検索範囲距離内の情報検索が可能となり、サーチエンジン利用者にとってより詳細な情報検索が可能となる。
【発明を実施するための最良の形態】
【００２４】
本発明に係る地図情報システム連動サーチエンジンサーバーシステムを実施するための最良の形態を実施例に基づき図面を参照して、以下説明する。
【実施例１】
【００２５】
（構成）
本発明に係る地図情報システム連動サーチエンジンサーバーシステムの実施例１を図１〜７により説明する。図１は、本発明に係る地図情報システム連動サーチエンジンサーバーシステムの全体構成を示すブロック図である。本発明に係る地図情報システム連動サーチエンジンサーバーシステムは、インターネット（他の通信回線でもよい。）１を介して、複数の検索者端末２、複数の登録者端末３、サーチエンジンサーバー４、及びウェブサイト５が接続されて構成される。
【００２６】
本発明に係る地図情報システム連動サーチエンジンサーバーシステムは、その概要としては、登録者端末３から通信ネットワークを介してサーチエンジンサーバー４の地図情報システム部１１から、ウェブサイトの発信場所の地図検索を可能とし、
検索された地図画面からウェブサイトの発信位置を指定し、ウェブ表示処理部６を経由し情報登録部１３からウェブサイトの位置座標軸とウェブサイトのカテゴリとアドレスをアドレス・座標・カテゴリデータベース１５に登録し、
また、情報登録部１３からウェブデータ収集処理部１６に登録されたウェブサイトのアドレスを送り、ロボット検索エンジンを起動し、通信ネットワーク上に実際に存在する登録したアドレスのウェブサイト５のウェブデータを収集し、語句解析部１７で語句解析し、重み処理部１８で重み処理しウェブデータベース１９に登録を可能とし、
検索者端末２から、カテゴリ検索した場合又はキーワード検索した場合に、
アドレス・座標・カテゴリデータベース１５又はウェブデータベース１９へ検索信号が送られ、カテゴリ又はキーワード検索に該当するウェブアドレスのデータ一覧が検索者端末２に表示されると同時に、
検索信号がアドレス・座標軸同期処理部２１から距離計算処理部２２を経由して地図情報システム部１１の位置イメージ処理部１０で地図画面上の発信位置のイメージ表示処理と検索結果重み計算処理部２０での重み評価のイメージ表示処理を可能とし、検索者端末２にウェブサイトの発信位置と検索確率の評価メージが地図表示されると同時に、
距離計算処理部で、予め検索者が登録した地図画面上の検索者の検索基準点位置と検索されたウェブサイトの位置を距離計算し、近距離順に検索結果を一覧表示することや検索結果一覧項目に検索基準点位置から検索結果のサイトまでの距離を数値表示すること、及び距離範囲を条件として検索することを可能とするサーチエンジンサーバーシステムである。
【００２７】
本発明の適用できる通信ネットワーク検索データの範囲は、全国レベルの検索エンジンや都道府県や市町村等地域を限定した検索エンジンや特定の業種業態をターゲットとした検索エンジンばかりでなく、企業グループや企業内のイントラネット上における検索システムとして利用されることが考えられる。また、地図データは、画像データや数値データの地理データばかりでなく建物位置図や建物内の構図も考えられる。本実施例１では、サーチエンジンサーバーシステムの一例として、市町村レベルの地域ポータルサイトで説明する。以下、本発明に係る地図情報システム連動サーチエンジンサーバーシステムを構成する装置について、それぞれその構成を説明する。
【００２８】
端末：
登録者端末３及び検索者端末２は、それぞれ通常のパソコンが利用され、入力部、出力部、ＣＰＵ、記憶部、表示部（液晶表示装置、ＣＲＴ等）、入力機器（マウス、キーボード、ペン、タッチパネル等）、出力機器（プリンタ等）等を有している。
【００２９】
なお、端末は、通常、パソコンと考えられるが、必ずしもパソコンとする必要はなく、通信ネットワーク接続された携帯電話やIP電話やインターネット家電であっても良い。
【００３０】
登録者端末３は、サーチエンジンサーバー４の地図情報システム１１にウェブ表示処理部６を経由して地図検索入力部７に、ウェブサイトの登録する場所の地図を検索する信号を入力することを可能とすること、
また、検索されたウェブサイトの登録する場所の地図画面上にウェブサイトの発信位置を
マウスクリックによって位置指定し座標軸取得を可能とすること、
また、位置指定と同時に表示されるウェブサイトの登録フォーマットに登録するウェブサイトのアドレスとカテゴリを登録することを可能とし、
これによって、アドレス・座標・カテゴリデータベース１５とウェブデータベース１９を構築することが可能となる。
【００３１】
なお、登録者端末３は、通常、サーチエンジンサーバーの管理者端末と考えられるが、必ずしもサーチエンジンサーバーの管理者とする必要はなく、通信ネットワーク上に存在するウェブサイト５の運営者又ウェブサイト５のサイト推薦者の端末であっても良い。
【００３２】
サーチエンジンサーバー：
図１に示すように、サーチエンジンサーバー４は、ウェブ表示処理部６、
地図情報システム部１１、検索処理部１２、情報登録部１３、カテゴリ処理部１４、アドレス・座標・カテゴリデータベース１５、ウェブデータ収集処理部１６、語句解析部１７重み処理部１８、ウェブデータベース１９、検索結果重み計算処理部２０、アドレス・座標軸同期処理部２１、距離計算処理部２２等を備えている。
【００３３】
このうち、ウェブ表示処理部６は、インターネット１を介して、図１に示すように、登録者端末３と検索者端末２に接続される。又、ウェブデータ収集処理部は、図１に示すように、インターネット１を介して、ウェブサイト５に接続される。
【００３４】
ウェブ表示処理部６は、登録者端末３及び検索者端末２からの地図検索入力部７と検索処理部１２と情報登録部１３へのウェブ上情報入力と地図検索処理部８と検索処理部１２から登録者端末３及び検索者端末２へのウェブ上情報出力を処理する。
【００３５】
地図情報システム部１１は、図１に示すように検索入力部７、地図検索処理部８、地図データベース９、位置イメージ処理部１０を備えており、ウェブサイトの登録場所の検索信号を登録者端末３から地図検索入力部７へ送り、地図検索処理部８で地図データベース９からの地図データを検索処理し、ウェブ表示処理部６を介して登録者端末３に表示することを可能とする。
【００３６】
図２は、地図情報システム部１１の検索入力と図面表示画面の図であり、位置検索キーワード入力２３aは、キーワードにより地図画面を検索可能とし、地名・番地選択入力２３bは、予め表示される地名や番地の選択により地図画面の検索が可能であり、地図の検索結果は地図表示画面２５のように登録者端末３に表示される。
【００３７】
また、地図情報システム部１１は、図１の距離計算処理部２２からのアドレス座標軸同期信号を位置イメージ処理部１０で受信し、ウェブサイトの発信位置と重み評価をイメージ処理し地図検索処理部８で地図検索処理し、ウェブ表示処理部を経由して検索者端末２に表示することを可能とする。
【００３８】
ここで、地図情報システム部１１の位置イメージ処理部１０は、アドレス・座標軸同期処理部２１からのアドレス座標軸同期検索データと検索者端末２から登録される検索基準点位置信号を距離計算処理部２２から受信し、検索サイトの発信位置イメージと重み評価された検索結果の確率イメージと検索者端末２から登録される検索基準点位置イメージを検索者端末２に表示される地図画面上に表示することを可能とする機能を有する。
【００３９】
なお、地図情報システム部１１の位置イメージ処理部１０で処理されるイメージ処理は、画像データ及び数値データのどちらの処理方法でも良い。
【００４０】
また、地図情報システム部１１は、実施例１では、サーチエンジンサーバー内に構築されているが必ずしもサーチエンジンサーバーにあることを前提とするものではなく、インターネットやイントラネット上に別途用意されているGISであって、ネットワーク回線を介しサーチエンジンサーバーの各処理部と接続されている形態であっても良い。
【００４１】
情報登録部１３は、登録者端末３に表示された地図画面上にウェブサイトの発信位置の指定することにより得られる座標軸とウェブアドレスとカテゴリ入力信号を登録者端末３から受信し、カテゴリ処理部１４を経由してアドレス・座標・カテゴリデータベース１５に登録し、同時に、ウェブアドレスデータをウェブデータ収集処理部１６に送信することを可能とする機能を有する。
【００４２】
図２における地図表示画面２５の２５Ｘはサイト登録地点であり位置指定してからサイト登録ボタン２４を押すか又は２５Ｘの地点をクリックするとサイト発信位置の座標軸が
取得され、同時に図３のようにカテゴリの選択２６、アドレス入力２７、タイトル入力２７a、紹介文入力２７bを有する登録フォーマットが起動し、情報登録部１３への情報登録が可能となる。
【００４３】
ウェブデータ収集処理部１６は、情報登録部１３からウェブアドレスデータを受信し、アドレスに対応したインターネット上に存在するウェブサイト５にロボット検索エンジンを起動し、ウェブサイト５のHTML等のページデータとそのURLを収集する。また、収集したHTMLに、サイト内の下層ディレクトリに対するURLのハイパーリンクが含まれる場合、更にそのURLからデータを収集するという動作を再帰的に繰り返す機能を有する。
【００４４】
語句解析部１７は、ウェブデータ収集処理部１６で収集処理したウェブサイト５のページデータとURLを受信し、単語毎での区切りを明確にするため、前処理として、収集したWebサイトのページデータを、単語判定のためにあらかじめ登録された電子辞書ファイルを用い単語毎に分解し、検索の効率化のため、数字→アルファベット→50音の順というような単語の索引を作成する機能を有する。
【００４５】
なお、単語に分解するとは、情報収集したWebサイトのページデータ内に「つくばの農業とバイオ研究」という文章がある場合に、「つくば」、「農業」、「バイオ」、「研究」というように分解することを意味する。
【００４６】
重み処理部１８は、語句解析部１７で処理されたデータを受信し、単語が出現する部分のHTMLタグ等に応じて、あらかじめ定義したHTMLタグ等に対応する単語の重み付けの処理を行いウェブデータベース１９に処理データを送信することを可能とする機能を有する。
【００４７】
ここで、単語の重みづけの処理とは、例えば、<TITLE>:タグが15点で<TITLE>:タグ内に記載されたタイトルが「つくば大学」であった場合、「つくば大学」の重みは15点とされ、また、<H1>のタグが8点で「バイオ」の文字が<H1>のタグで指定されている場合、「バイオ」の重みは8点と処理することを意味する。
【００４８】
これにより、ウェブデータベース１９は、ウェブデータ収集処理部で収集処理されたウェブサイト５のページデータに語句解析と重み処理を行なったページデータとページデータ毎のURLが付加されたウェブデータベースとして構築が可能となる。
【００４９】
なお、ウェブデータベース１９は、登録されたサイトが、２０ページから成る場合、検索情報データベースには、２０ページ分の情報が保存されるというように、登録されたサイトの各ウェブページ単位でデータが保存されており、インターネットを介して検索及びWeb表示可能なプログラム言語で構築されたデータベースである。
【００５０】
検索結果重み計算処理部２０は、検索者端末２からウェブ表示処理部６を経由してウェブデータベース１９に入力されたキーワード検索の検索結果である各ページ内の個々のキーワードの重みをページごとに計算処理する機能を有する。
【００５１】
これにより、検索された各ページの重みが集計され、そのページの検索確率や重要度を
評価計算することが可能となり、検索結果重み計算処理部２０から検索処理部１２を経由して検索者端末２に検索結果の確率順の検索ページ一覧表示が可能となる。
【００５２】
図５は、検索者端末２からウェブデータベース１９にキーワード検索入力するフォーマット２９と検索結果が検索者端末２に確率順に表示された検索結果一覧の表示３０のウェブ画面イメージである。
【００５３】
また、検索結果重み計算処理部２０は、登録されたサイトアドレス内の複数の検索ページの重みを合計し、サイトアドレス全体の重みを計算し、検索結果重み計算処理部２０から検索処理部１２を経由して検索者端末２に検索結果の確率順の検索サイト一覧表示を可能とする機能を有する。
【００５４】
アドレス・座標軸同期処理部２１は、検索結果重み計算処理部２０で重み計算処理された検索ページデータを受信し、その検索ページのアドレスとアドレス・座標・カテゴリデータベースの検索ページのアドレスに対応する登録サイトアドレスと座標軸とを同期処理することによって、重み計算処理された検索ページデータにそのサイトの発信位置の座標軸を付加することを可能とする機能を有する。
【００５５】
これによって、ウェブデータベース１９からのキーワード検索ページデータに対してその発信位置の地図座標軸を同期付加することが可能となり、
地図情報システム部１１の位置イメージ処理部１０で発信位置の位置イメージ表示及び検索確率イメージを地図表示イメージ処理することが可能となり、検索者端末２の地図画面上から閲覧することが可能となる。
【００５６】
ここで、図５は、ウェブデータベース１９からの重み計算処理されたキーワード検索ページデータの検索結果一覧３０とその検索結果のページ発信位置イメージと重み処理された検索確率イメージ（地図画面２５の２５Aa、２５Bb、２５Cc）を検索者端末２にWeb表示したイメージ図である。
【００５７】
また、アドレス・座標軸同期処理部２１は、検索者端末２からウェブ表示処理部６、検索処理部１２、カテゴリ処理部１４を順次経由してアドレス・座標・カテゴリデータベース１５にカテゴリ検索入力されるカテゴリサイト検索において、アドレス・座標・カテゴリデータベース１５から検索されたカテゴリ検索結果の各サイトアドレスと座標軸と名称を受信し、検索されたサイトに発信位置の地図座標軸を同期付加することを可能とし、距離計算処理部２２から地図情報システム部１１の位置イメージ処理部１０へ送信することを可能とする機能を有する。
【００５８】
ここで、図４は、アドレス・座標・カテゴリデータベース１５にカテゴリ検索入力されるカテゴリサイト検索一覧３０とその検索結果のサイト発信位置イメージ（地図画面２５の２５A、２５B、２５C）を検索者端末２にWeb表示したイメージ図である。
【００５９】
すなわち、アドレス・座標軸同期処理部２１は、ウェブデータベースからのキーワード検索ページデータ及びアドレス・座標・カテゴリデータベースからカテゴリ検索サイトデータに対してその発信位置の地図座標軸を同期付加することを可能とし、地図情報システム部１１の位置イメージ処理部１０で発信位置の位置イメージ表示及び検索確率イメージを地図表示イメージ処理することが可能となる。
【００６０】
距離計算処理部２２は、検索者端末２から地図情報システム部１１へ検索者の指定する場所を地図検索入力し、地図検索結果がウェブ表示処理部６を経由して検索者端末２に地図画面をウェブ表示し、検索者が地図画面上に検索基準点位置を指定入力して、
ウェブ表示処理部６から検索処理部１２を経由して受信される検索基準点位置の地図座標軸データを登録する機能を有する。
【００６１】
ここで、図６の地図表示画面２５の３１Xの地点は検索者が登録する検索基準点位置で
、クリックにより位置を登録するか検索基準点位置決定ボタン３１によって検索基準点位置を登録するWebイメージ画面である。
【００６２】
また、距離計算処理部２２は、ウェブデータベース１９からの複数のキーワード検索ページデータで検索結果重み計算処理部２０で重み計算処理されたデータ又はアドレス・座標・カテゴリデータベース１５からのカテゴリ検索サイトデータにアドレス・座標軸同期処理部２１で座標軸の同期処理をしたデータをアドレス・座標軸同期処理部２１から受信し、各複数のキーワード検索ページデータ又はカテゴリ検索サイトデータの座標軸と検索基準点位置の地図座標軸データ間の距離を計算することを可能とする機能を有する。
【００６３】
これにより、距離計算処理部２２から検索処理部１２、ウェブ表示処理部６を順次経由して検索者端末２に一覧表示される検索結果のキーワード検索ページデータ又はカテゴリ検索サイトデータに検索基準点位置から検索結果のデータまでの地点間の距離を、図６の検索結果一覧（３０C’、３０B’、３０A’）のように数値表示することが可能となる。
【００６４】
また、距離計算処理部２２は、検索者端末２の地図画面が表示されるウェブ画面上から、
ウェブ表示処理部６から検索処理部１２を経由して受信される検索基準点位置を基準とした検索範囲の距離条件である検索範囲距離データを図７の検索範囲距離入力フォーム３２のように登録可能とし、
検索基準点位置を基準とした検索範囲の距離条件である検索範囲距離データとキーワード検索ページデータ又はカテゴリ検索サイトデータの距離計算を可能とする機能を有する。
【００６５】
これにより、予め登録した検索者の検索基準点位置を基準に検索範囲距離データを条件としたキーワード検索ページデータ又はカテゴリ検索サイトデータの検索が可能となり、
距離計算処理部２２から検索処理部１２、ウェブ表示処理部６を順次経由して検索者端末２に、検索範囲距離データの条件に合致した検索結果の一覧表示が図７の検索結果一覧３０（３０C’、３０b’）のように可能となる。
【００６６】
（作用）
本発明に係る地図情報システム連動サーチエンジンサーバーシステム（以下、単に「サーチエンジンサーバーシステム」という。）の構成をさらに明確にするために、図１〜７
と、図８〜１２に示すフローチャートを参照して、本発明の作用を説明する。
アドレス・座標・カテゴリデータベースとウェブデータベースの構築：
登録者端末３からのデータ登録によるアドレス・座標・カテゴリデータベースとウェブデータベースの構築について図１〜図３と図８（イ）〜（ヲ）に沿って説明する。
（イ）登録者端末３の登録者（以下、単に「登録者」という。）は、登録者端末３を始動し、表示部にWeb表示部（以下Webブラウザと言う）を表示し作業をスタートする。
【００６７】
（ロ）図２のように登録者のWebブラウザには、位置検索キーワード入力２３aと地名・番地選択入力２３bとサイト発信位置登録ボタン２４と地図表示画面２５の機能があり、図１の地図検索入力部７は、位置検索キーワード入力２３aと地名・番地選択入力２３bの機能であり、登録するサイトの場所を、位置検索キーワード入力２３aに地名等のキーワードを入力して地図検索するか、地名・番地選択入力２３bで予め地名や番地が表示され、その表示名称を選択することによって登録する場所の地図検索入力し、
入力された信号は、図１の地図検索入力部７から地図検索処理部８に送信され、地図データベース９のデータから目的の場所の地図データを地図検索処理し、ウェブ表示処理部６を経由して登録者のWebブラウザに登録する場所の地図表示画面を表示する。
【００６８】
なお、登録者は、サーチエンジンサーバーシステムの管理者又は通信ネットワーク上に存在する複数のウェブサイトの運営管理者又は通信ネットワーク上に存在する複数のウェブサイトの推薦者のいずれであっても良い。
【００６９】
（ハ）登録者が登録するウェブサイトの発信位置を図２の２５Xのように地図表示画面２５上にマウスのクリックにより位置指定し、マウスのクリックと同時に発信位置が確定され発信位置の地図座標軸が取得される。
【００７０】
（ニ）マウスのクリックの位置指定と同時に図３のウェブサイト登録画面が起動するか又は図２のサイト位置登録ボタン２４をクリックすることによりウェブサイト登録画面が起動し、図３のカテゴリ選択２６で登録するサイトのカテゴリを選択し、アドレス入力２７で登録するサイトのURLを入力し、タイトル入力２７aで登録するサイトのタイトルを入力し、紹介文入力２７bで登録するサイトの紹介文を入力し、
登録者が入力した信号と発信位置の指定によって取得された地図座標軸データは、図１の登録者端末３から、ウェブ表示処理部６を経由して情報登録部１３へ送信される。
【００７１】
（ホ）情報登録部１３に送信された登録者が入力した信号と発信位置の指定によって取得された地図座標軸データは、カテゴリ処理部１４に送られ登録者が入力した信号のうちのカテゴリデータが数値変換処理され、（へ）カテゴリ処理されたカテゴリ信号を伴う登録者が登録したデータと発信位置の指定によって取得された地図座標軸データがアドレス・座標・カテゴリデータベース部１５に格納され、（ト）アドレス・座標・カテゴリデータベースの構築が完了する。
【００７２】
（チ）登録者が図３の登録画面から入力した信号のうちウェブサイトのURLは、情報登録部１３からウェブデータ収集処理部１６に送信され、ウェブデータ収集処理部１６でロボット検索エンジンが起動し、インターネット１上に存在するウェブサイト５のHTML等のページデータとそのURLを収集処理し、収集したHTMLに、ハイパーリンクが含まれる場合、更にそのURLからデータを収集するという動作を再帰的に繰り返す収集処理をする。
【００７３】
（リ）語句解析は、ウェブデータ収集処理部１６で収集処理したウェブサイト５のページデータとURLを語句解析部１７で受信し、単語毎での区切りを明確にするため、前処理として、収集したWebサイトのページデータを、単語判定のためにあらかじめ登録された電子辞書ファイルを用い単語毎に分解し、検索の効率化のため、数字→アルファベット→50音の順というような単語の索引を作成する処理を行なう。
【００７４】
なお、単語に分解するとは、例えば、情報収集したWebサイトのページデータ内に「つくばの農業とバイオ研究」という文章がある場合に、「つくば」、「農業」、「バイオ」、「研究」というように分解する処理を行なうことである。
【００７５】
（ヌ）重み処理は、語句解析部１７で語句解析されたウェブデータ収集処理部１６からのウェブサイト５のページデータとURLを重み処理部１８で受信し、単語が出現する部分のHTMLタグ等に応じて、あらかじめ定義したHTMLタグ等に対応する単語の重みづけの処理を行いウェブデータベース１９に処理データを送信する。
【００７６】
ここで、単語の重みづけの処理とは、例えば、<TITLE>:タグが15点で<TITLE>:タグ内に記載されたタイトルが「つくば大学」であった場合、「つくば大学」の重みは15点とされ、また、<H1>のタグが8点で「バイオ」の文字が<H1>のタグで指定されている場合、「バイオ」の重みは8点と処理することを意味する。
【００７７】
（ル）ウェブデータベース格納は、ウェブデータ収集処理部１６で収集処理されたウェブサイト５のページデータに語句解析と重み処理を行なったページデータとページデータ毎のURLが付加されたウェブデータベースとしてウェブデータベース１９に構築が可能となり、（ヲ）ウェブデータベース構築が完了する。
【００７８】
なお、ウェブデータベース１９は、登録されたサイトが、２０ページから成る場合、検索情報データベースには、２０ページ分の情報が保存されるというように、登録されたサイトの各ウェブページ単位でデータが保存されており、インターネットを介して検索及びWeb表示可能なプログラム言語で構築されたデータベースである。
【００７９】
カテゴリ検索プロセス：
検索者端末２からインターネット１を介して、ウェブサイトのカテゴリ検索プロセスについて図１と図４と図９の（イ）〜（ヌ）に沿って説明する。
（イ） 図１のアドレス・座標・カテゴリデータベース１５には、登録者端末３から登録
された複数のウェブサイトのカテゴリとURLとタイトルと紹介文が登録されており、検索者が検索者端末２からカテゴリ検索により、アドレス・座標・カテゴリデータベース１５から目的のウェブサイトを検索する場合には、検索者端末のウェブ表示部に表示される図４を検索画面として作業をスタートする。
【００８０】
（ロ）検索者が、検索者端末のウェブ表示部に表示される図４を検索画面のカテゴリ
索入力２８にカテゴリの名称を直接入力するか又はカテゴリのメニューから選択することによってカテゴリ検索入力を行なう。
【００８１】
（ハ）カテゴリ検索入力信号は、検索者端末２からインターネット1を介してウェブ表示部６とカテゴリ処理部１４を順次経由し、アドレス・座標・カテゴリデータベース１５に送信され、データベース検索実行がされる。
【００８２】
（二）次に、アドレス・座標・カテゴリデータベース１５からカテゴリ検索信号に合致したURLとタイトルと紹介文等のウェブデータを出力し、アドレス・座標軸同期処理部２１から距離計算処理部２２を経由して検索処理部１２に送信される。
【００８３】
なお、事例では、アドレス・座標軸同期処理部２１から距離計算処理部２２を経由して検索処理部１２に出力される説明であり、別途、アドレス・座標・カテゴリデータベース１５から直接検索処理部１２に出力する方法もある。
【００８４】
（ホ）出力されたウェブデータは、検索処理部１２で一覧表検索処理され、ウェブ表示処理部６を経由して検索者端末２のウェブ表示部に検索結果一覧表示される。
【００８５】
（へ）検索結果一覧表示は、図４の検索画面では、検索結果一覧３０の１順位農業研究所３０A、２順位つくば大学３０B、３順位筑波農産３０Cのように検索者端末２のウェブ表示部に表示され完了する。
【００８６】
（ト）別途、（ハ）においてアドレス・座標・カテゴリデータベース１５からカテゴリ検索信号に合致したURLとURLの発信位置座標軸データを出力し、アドレス・座標軸同期処理部２１から距離計算処理部２２に送信される。
【００８７】
なお、本事例では、距離計算処理部２２にURLとURLの発信位置座標軸の同期処理されたデータが送信されるが、後述のように距離計算処理部２２において検索基準点位置登録や検索範囲距離入力を処理する事例ではないためURLとURLの発信位置座標軸の同期処理されたデータは距離計算処理部２２を経由するだけである。
【００８８】
（チ）次に距離計算処理部２２からURLとURLの発信位置座標軸の同期処理されたデータが位置イメージ処理部１０に送信され、位置イメージ処理部１０で座標軸にあった地図画面上の地点にイメージ出力を可能とする処理を行なう。
【００８９】
（リ）位置イメージ処理部１０で位置イメージ処理されたデータは、地図検索処理部８からウェブ表示処理部６を経由して検索者端末３のウェブ表示部の地図画面上に発信位置として地図表示される。
【００９０】
（ヌ）地図表示は、図４の検索画面の地図表示画面２５の２５A、２５B、２５Cのようにイメージとして表示され完了する。
【００９１】
なお、図４の検索画面の地図表示画面２５の２５Aは、（へ）における検索結果一覧３０の１順位農業研究所３０Aの発信位置イメージであり、２５Bは２順位つくば大学３０Bの発信位置イメージであり、２５Cは３順位筑波農産の発信位置イメージである。
【００９２】
キーワード検索プロセス：
検索者端末２からのインターネット１を介して、ウェブサイトのキーワード検索プロセスについて図１と図５と図１０の（イ）〜（ヌ）に沿って説明する。
（イ） 図１のウェブデータベース１９には、ウェブデータ収集処理部１６で収集処理さ
れたウェブサイト５のページデータに語句解析と重み処理を行なったページデータにページデータ毎のURLが付加されたウェブページデータが登録されており、検索者が検索者端末２からキーワード検索により、目的のウェブページを検索する場合には、検索者端末のウェブ表示部に表示される図５を検索画面として作業をスタートする。
【００９３】
（ロ）検索者が、キーワード検索入力２９に検索する文字を入力する。本作用説明では、「バイオ」ということばを入力した事例で説明する。
【００９４】
（ハ）入力されたキーワード検索入力信号は、検索者端末２からウェブ表示処理部６と検索処理部１２を経由してウェブデータベース１９に送信され、ウェブデータベース検索が実行され、キーワード「バイオ」に合致したウェブページの検索結果が出力される。
【００９５】
（ニ）次に検索結果が検索結果重み計算処理部２０に送信され、検索結果である各ペ
ージ内の個々の該当キーワードの重みをページごとに合計しページ全体の重み計算処理を行なう。
【００９６】
（ホ）これにより、検索された各ページの重みが集計され、そのページの検索確率や
重要度を評価計算することが可能となり、検索結果重み計算処理部２０で重み計算処理された検索ページデータが検索処理部１２を経由して検索者端末２に確率順の検索結果ページ一覧表示が可能となる。
【００９７】
ここで、「バイオ」というキーワードでウェブデータベース１９に検索し、「農業研究所」と「筑波農産」と「つくば大学」が検索され、各検索されたページ内の「バイオ」というキーワードの重みを合計し、重み処理計算で「農業研究所」が３０点で、「筑波農産」が２０点で、「つくば大学」が１０点だった場合には、図５の検索結果一覧３０のように１順位農業研究所３０Aa、２順位筑波農産３０Cc、３順位つくば大学３０Bbのように検索者端末２のウェブ表示部に表示され(へ)完了する。
【００９８】
（ト）別途、（二）の検索結果重み計算処理部２０で重み計算処理された検索ページデータがアドレス・座標軸同期処理部２１に送信され、その検索ページのアドレスとアドレス・座標・カテゴリデータベースの検索ページのアドレスに対応する登録サイトアドレスと座標軸とを同期処理することによって、重み計算処理された検索ページデータにそのサイトの発信位置の座標軸データを付加する同期処理をする。
【００９９】
（チ）重み計算処理された検索ページデータにそのサイトの発信位置の座標軸データが付加された検索ページデータが、アドレス・座標軸同期処理部２１から距離計算処理部２２を経由して位置イメージ処理部１０に送信され、位置イメージ処理部１０で検索ページの発信位置のイメージ表示と検索確率イメージを地図表示イメージ処理する。
【０１００】
（リ）次に、地図表示イメージ処理されたデータが地図検索処理部８に送信され、地図検索処理され、ウェブ表示処理部を経由して検索者端末２のWebブラウザに地図表示される。
【０１０１】
（ヌ）地図表示は、図５の検索画面の地図表示画面２５の２５Aa、２５Bb、２５Ccのように検索結果の重みが確率イメージとして表示され完了する。
【０１０２】
なお、図５の検索画面の地図表示画面２５の２５Aaは、検索結果一覧３０の１順位農業研究所３０Aaの発信位置イメージであり、２５Ccは２順位筑波農産Ccの発信位置イメージであり、２５Bbは３順位つくば大学３０Bbの発信位置イメージである。
【０１０３】
また、本説明のキーワード検索プロセスにおいて、（イ）のスタートをカテゴリ検索の検索結果に対して絞込みのキーワード検索をウェブデータベース１９に行なう場合には、検索者端末２からウェブ表示処理部６と検索処理部１２とカテゴリ処理部１４とアドレス・座標・カテゴリデータベース１５とを順次経由して、検索入力信号が送信される。
【０１０４】
距離表示・近距離情報検索プロセス：
検索者端末２からのインターネット１を介して、ウェブサイトの近距離検索プロセスについて図１と図６と図１１の（イ）〜（ル）に沿ってアドレス・座標・カテゴリデータベース１５へのカテゴリ検索の事例で説明する。
（イ）図１のアドレス・座標・カテゴリデータベース１５には、検索者端末２からカテゴリ検索により、アドレス・座標・カテゴリデータベース１５から目的のウェブサイトを検索する場合に、検索者が予め地図上に登録した検索基準点位置からの近距離順にウェブサイト検索結果が一覧表示されるとともに、ウェブサイト検索結果一覧表示の表示項目に検索者の位置地点から前記検索結果までの距離を数値表示することを可能とする図６を検索画面として作業をスタートする。
【０１０５】
（ロ）検索者が、検索者端末２から地図情報システム部１１へ検索者の検索基準点位置が表示される地点の地図検索を行い、地図検索処理部８からウェブ表示処理部を経由して、検索者端末２のウェブ表示部に地図表示画面２５を出力表示する。
【０１０６】
（ハ）次に検索者が、地図表示画面２５に予め検索者の場所等の検索基準点位置を３１Xのように地図上の地点を指定しマウスでクリックするか又は地図上の地点をマウスでクリック指定し検索基準点位置決定ボタン３１を押すと、検索基準点位置入力信号は、検索者端末２からウェブ表示処理部６と検索処理部１２を経由して距離計算処理部２２に登録される。
【０１０７】
（二）ここで、別途、図６のカテゴリ検索入力２８から検索するカテゴリ入力を行い
、入力した信号は検索者端末２からウェブ表示処理部６と検索処理部１２とカテゴリ処理部１４とを順次経由してアドレス・座標・カテゴリデータベース１５へ送信され、検索結果のウェブデータがアドレス・座標軸同期処理部２１に送られる。
【０１０８】
（ホ）次に、アドレス・座標軸同期処理部２１でウェブサイトのアドレスとウェブサイトの発信位置座標軸が同期処理され、発信位置座標軸データが付加されたウェブサイトデータが距離計算処理部２２に送信される。
【０１０９】
（へ）ここで、距離計算処理部２２は、予め登録されている検索基準点位置３１Xの位置座標軸とカテゴリ検索結果であるウェブサイトの座標軸との距離計算処理を行い、
検索処理部１２及び位置イメージ処理部１０に送信する。
【０１１０】
（ト）検索処理部１２に送信されたデータは、検索処理部１２で近距離順表示処理と距離数値表示処理され、ウェブ表示処理部６を経由して、検索者端末２のウェブ表示画面に検索結果を一覧表示する。
【０１１１】
（チ）検索結果一覧表示は、図６の検索画面では、検索結果一覧３０の「１順位筑波農産  距離１ｋｍ」３０Ｃ’、「２順位つくば大学  距離３ｋｍ」３０B’、「３順位農業研究所  距離６ｋｍ」３０A’のように検索基準点位置３１Xと検索サイトとの近距離順に一覧表示され、また、検索データのデータ項目に検索基準点位置３１Xから各検索サイトまでの距離が数値表示され検索者端末２のウェブ表示部に一覧表示され完了する。
【０１１２】
なお、ここで１順位筑波農産の距離１ｋｍは、地図表示画面２５の筑波農産の発信位置座標軸２５C’と検索基準点位置３１Xの距離であり、２順位つくば大学の距離３ｋｍは、同様につくば大学の発信位置座標軸２５B’と検索基準点位置３１Xの距離である。
【０１１３】
（リ）別途、（へ）において距離計算処理部２２から位置イメージ処理部１０へ送信されたURLとURLの発信位置座標軸の同期処理されたデータにより、位置イメージ処理部１０で座標軸にあった地図画面上の地点にイメージ出力を可能とする処理を行なう。
【０１１４】
（ヌ）位置イメージ処理部１０で位置イメージ処理されたデータは、地図検索処理部８からウェブ表示処理部６を経由して検索者端末３のウェブ表示部の地図画面上に発信位置として地図表示される。
【０１１５】
（ル）地図表示は、図６の検索画面の地図表示画面２５の２５A’、２５B’、２５C’のようにイメージとして表示され完了する。
【０１１６】
なお、本近距離検索プロセスの作用説明では、アドレス・座標・カテゴリデータベース１５へのカテゴリ検索の事例で説明したが、ウェブデータベース１９へのキーワード検索においても同様にウェブページ検索結果一覧表示において、検索者が予め地図上に登録した検索基準点位置からの近距離順にウェブサイト検索結果が一覧表示されるとともに、ウェブページ検索結果一覧表示の表示項目に検索者の位置地点から前記検索結果までの距離を数値表示することが可能である。
【０１１７】
指定距離範囲内検索プロセス：
検索者端末２からのインターネット１を介して、ウェブサイトの指定距離範囲内検索プロセスについて図１と図７と図１２の（イ）〜（ヲ）に沿ってアドレス・座標・カテゴリデータベース１５へのカテゴリ検索の事例で説明する。
（イ）図１のアドレス・座標・カテゴリデータベース１５には、検索者端末２からカテゴリ検索により、アドレス・座標・カテゴリデータベース１５から目的のウェブサイトを検索する場合に、検索者が予め地図上に登録した検索基準点位置からの検索の距離範囲を指定することにより、指定距離範囲内のウェブサイト検索結果が一覧表示されることを可能とする図７を検索画面として作業をスタートする。
【０１１８】
（ロ）検索者が、検索者端末２から地図情報システム部１１へ検索者の検索基準点位置
が表示される地点の地図検索を行い、地図検索処理部８からウェブ表示処理部６を経由して、検索者端末２のWebブラウザに地図表示画面２５を出力表示する。
【０１１９】
（ハ）次に検索者が、地図表示画面２５に予め検索者の場所等の検索基準点位置を３１Xのように地図上の地点を指定しマウスでクリックするか又は地図上の地点をマウスでクリック指定し検索基準点位置決定ボタン３１を押すと、検索基準点位置入力信号は、検索者端末２からウェブ表示処理部６と検索処理部１２を経由して距離計算処理部２２に登録される。
【０１２０】
（二）次に検索画面の検索範囲距離指定３２に検索基準点位置からの検索したいウェブサイトの検索範囲の距離を図７の検索範囲距離指定入力フォーム３２のように５kmと入力すると、指定検索距離範囲データが検索者端末２からウェブ表示処理部６と検索処理部１２を順次経由し距離計算部２２に登録される。
【０１２１】
（ホ）ここで、別途、図６のカテゴリ検索入力２８から検索するカテゴリ入力を行い、入力した信号は検索者端末２からウェブ表示処理部６と検索処理部１２とカテゴリ処理部１４とを順次経由してアドレス・座標・カテゴリデータベース１５へ送信され、検索結果のウェブデータがアドレス・座標軸同期処理部２１に送られる。
【０１２２】
（へ）次に、アドレス・座標軸同期処理部２１でウェブサイトのアドレスとウェブサイトの発信位置座標軸が同期処理され、発信位置座標軸データが付加されたウェブサイトデータが距離計算処理部２２に送信される。
【０１２３】
（ト）ここで、距離計算処理部２２は、予め登録されている検索基準点位置３１Xの位置座標軸と指定検索距離範囲データ（５ｋｍ）とカテゴリ検索結果であるウェブサイトの座標軸との距離計算処理を行い、指定検索距離範囲データの距離条件にあった検索ウェブサイトデータを検索処理部１２及び位置イメージ処理部１０に送信する。
【０１２４】
（ト）検索処理部１２に送信されたデータは、検索処理部１２で近距離順表示処理と距離数値表示処理され、ウェブ表示処理部６を経由して、検索者端末２のWebブラウザの表示画面に検索結果を一覧表示する。
【０１２５】
（チ）検索結果一覧表示は、図７の検索画面では、検索結果一覧３０の「１順位筑波農産  距離１ｋｍ」３０Ｃ’、「２順位つくば大学  距離３ｋｍ」３０B’のように検索基準点位置３１Xと検索サイトとの近距離順に表示され、また、検索データのデータ項目に検索基準点位置３１Xから各検索サイトまでの距離が数値表示され検索者端末２のウェブ表示部に一覧表示され（リ）完了する。
【０１２６】
なお、ここで、農業研究所は、近距離検索プロセスの図６では、３順位  農業研究所  距離６ｋｍとして検索結果一覧３０に表示されるが、指定距離範囲内検索プロセスの図７では、指定検索距離範囲を５ｋｍと指定しているため１ｋｍの距離オーバーで検索結果一覧３０から除外される。
【０１２７】
別途、（へ）において距離計算処理部２２から位置イメージ処理部１０へ送信されたURLとURLの発信位置座標軸の同期処理されたデータにより、位置イメージ処理部１０で座標軸にあった地図画面上の地点にイメージ出力を可能とする処理を行なう。
【０１２８】
（ヌ）位置イメージ処理部１０で位置イメージ処理されたデータは、地図検索処理部８からウェブ表示処理部６を経由して検索者端末３のウェブ表示部の地図画面上に発信位置として地図表示される。
【０１２９】
（ル）地図表示は、図６の検索画面の地図表示画面２５の２５B’、２５C’のようにイメージとして表示され（ヲ）完了する。
【０１３０】
なお、本指定距離範囲内検索プロセスの作用説明では、アドレス・座標・カテゴリデータベース１５へのカテゴリ検索の事例で説明したが、ウェブデータベース１９へのキーワード検索においても同様にウェブページ検索結果一覧表示において、
目的のウェブサイトを検索する場合に、検索者が予め地図上に登録した検索基準点位置からの検索の距離範囲を指定することにより、指定距離範囲内のウェブサイト検索結果が一覧表示されることを可能とする。
以上、本発明を実施するための最良の形態を実施例に基づいて説明したが、本発明はこの
ような実施例に限定されるものではなく、特許請求の範囲に記載された技術的事項の範囲
内で、テキストのウェブデータばかりでなく映像や音声等様々なデータベースのサーチエ
ンジンシステムとして実施例があることは言うまでもない。
【産業上の利用可能性】
【０１３１】
本発明に係る地図情報システム連動サーチエンジンサーバーシステムは、以上のように登録者が、インターネット等の通信回線を利用し、ウェブ上に表示される地図検索システムの地図画面上から位置指定し、検索対象となるウェブサイトのアドレスを登録可能とし、その登録されたアドレスに対してサーチエンジンが収集したデータをデータベース化して、検索者がそのデータベースを検索する場合に、検索結果が重み順に検索されると同時にそのウェブサイト発信位置が地図画面上に表示され、その位置上にその重みの評価基準に合わせたイメージデータが表示されることを可能とし、
また、検索者の検索基準点位置を登録し、検索基準点位置から検索されたウェブサイト発信位置までの距離が検索結果一覧に表示されること及び登録した検索基準点位置から検索距離範囲条件として検索することを可能とし、全国レベルの検索エンジンや都道府県や市町村等地域を限定した検索エンジンや特定の業種業態をターゲットとした検索エンジンばかりでなく、企業グループや企業内のイントラネット上における検索システムとして適用することができる。
【図面の簡単な説明】
【０１３２】
【図１】本発明の地図情報システム連動サーチエンジンサーバーシステムの実施例１の全体構成を示すブロック図である。
【図２】実施例１において、登録者が地図検索し、地図表示画面に登録するサイトの発信位置を登録するウェブ表示画面の図である。
【図３】実施例１において、登録者が登録するウェブサイトのカテゴリ選択とアドレスとタイトルと紹介文を入力するウェブ表示画面の図である。
【図４】実施例１において、検索者がカテゴリ検索をし、検索結果一覧表示と地図画面上に検索結果の発信位置をイメージ表示するウェブ表示画面の図である。
【図５】実施例１において、検索者がデータベース検索をし、重み計算処理された検索結果一覧表示と地図画面上に検索結果の発信位置イメージと重み評価されたイメージを表示するウェブ表示画面の図である。
【図６】実施例１において、検索者が検索基準点位置決定の入力とカテゴリ検索をし、検索基準点位置決定からの距離表示を可能とする検索結果一覧表示と地図画面上に検索結果の発信位置をイメージ表示するウェブ表示画面の図である。
【図７】実施例１において、検索者が検索基準点位置決定の入力と検索範囲距離指定入力とカテゴリ検索をし、検索範囲の距離条件に合致した検索結果一覧表示と地図画面上に検索結果の発信位置をイメージ表示するウェブ表示画面の図である。
【図８】実施例１の検索データベース構築プロセスのフローチャートである。
【図９】実施例１のカテゴリ検索プロセスのフローチャートである。
【図１０】実施例１のキーワード検索プロセスのフローチャートである。
【図１１】実施例１の距離表示・近距離情報検索プロセスのフローチャートである。
【図１２】実施例１の距離範囲内検索プロセスのフローチャートである。
【符号の説明】
【０１３３】
１  インターネット                       
２  複数の検索者端末                     
３  複数の登録者端末                       
４  サーチエンジンサーバー                       
５  ウェブサイト                   
６  ウェブ表示処理部                     
７  地図検索入力部                      
８  地図検索処理部                              
９  地図データベース                          
１０  位置イメージ処理部                     
１１  地図情報システム部
１２  検索処理部                  
１３  情報登録部
１４  カテゴリ処理部                       
１５  アドレス・座標・カテゴリデータベース
１６  ウェブデータ収集処理部                               
１７  語句解析部                                                          
１８  重み処理部                           
１９  ウェブデータベース 
２０  検索結果重み計算処理部
２１  アドレス・座標軸同期処理部
２２  距離計算処理部              
２３a  位置検索キーワード入力            
２３b  地名・番地選択入力            
２４  サイト発信位置登録ボタン
２５  地図表示画面  
２５Ｘ  サイト発信位置           
２５A  農業研究所発信地点イメージ
２５B  つくば大学発信地点イメージ
２５C  筑波農産発信地点イメージ
２５A’  農業研究所発信地点イメージ
２５B’  つくば大学発信地点イメージ
２５C’  筑波農産発信地点イメージ
２５Aa  農業研究所検索結果重み評価イメージ
２５Bb  つくば大学検索結果重み評価イメージ
２５Cc  筑波農産検索結果重み評価イメージ 
２６  カテゴリ選択
２７  アドレス入力                    
２７a  タイトル入力
２７b  紹介文入力
２８   カテゴリ検索入力
２９   キーワード検索入力   
３０  検索結果一覧             
３０A  検索結果一覧の農業研究所
３０B  検索結果一覧のつくば大学
３０C  検索結果一覧の筑波農産
３０Aa  重み計算処理検索結果一覧の農業研究所
３０Bb  重み計算処理検索結果一覧のつくば大学
３０Cc  重み計算処理検索結果一覧の筑波農産
３０A’  検索結果一覧距離表示の農業研究所
３０B’  検索結果一覧距離表示のつくば大学
３０C’  検索結果一覧距離表示の筑波農産 
３１   検索基準点位置決定ボタン                       
３２   検索範囲距離指定入力フォーム
【図１】
2006221443.tif 000003
【図２】
2006221443.tif 000004
【図３】
2006221443.tif 000005
【図４】
2006221443.tif 000006
【図５】
2006221443.tif 000007
【図６】
2006221443.tif 000008
【図７】
2006221443.tif 000009
【図８】
2006221443.tif 000010
【図９】
2006221443.tif 000011
【図１０】
2006221443.tif 000012
【図１１】
2006221443.tif 000013
【図１２】
2006221443.tif 000014